(57)【要約】【課題】例えば給油所やバッテリー充電所などに設置でき、予備のバッテリーを預けて充電することができるから、家庭などに充電スペースがない場合でも、また、四六時中いつでも充電が可能で、さらにこの充電は当該バッテリーに関する情報に基づいて十分管理されたもとで行われ、安心して確実に充電できるバッテリー充電装置を得る。【解決手段】施錠・開錠手段が設けられた複数のバッテリー収納部３を備えた充電管理装置１と、この充電管理装置１を制御する充電制御装置２とを有する。【選択図】        図１
2007143241.tif 000002
【特許請求の範囲】
【請求項１】
複数のバッテリー収納部を備えた充電管理装置と、この充電管理装置を制御する充電制御装置とを有することを特徴とするバッテリー充電装置。
【請求項２】
バッテリー収納部には施錠・開錠手段が設けられ、このバッテリー収納部に収納されたバッテリーは充電制御装置に設けられている精算手段により充電料金が管理される請求項１記載のバッテリー充電装置。
【請求項３】
充電制御装置に設けた送受信手段を介してバッテリー情報として充電時間、充電料金などを遠隔地点に伝達でき、遠隔地点から充電方法の選択を行える請求項１記載のバッテリー充電装置。
【請求項４】
充電管理装置は、バッテリー収納部に収納された個々のバッテリーの情報に基づいて充電する請求項１から請求項３のいずれかに記載のバッテリー充電装置。
【発明の詳細な説明】
【技術分野】
【０００１】
本発明は、電力を自動車の駆動源とする電気自動車に搭載するバッテリーの充電装置に関するものである。
【背景技術】
【０００２】
従来から自動車の燃料としては、ガソリンや軽油などの石油系燃料が使用されているが、将来の石油供給の不安定、窒素酸化物などの有害ガスの排出がもたらす健康への影響、二酸化炭素の排出がもたらす地球温暖化への影響などの懸念から、公害発生のおそれのない新しい駆動源として電気を使用する電気自動車が低公害車として注目されている。
【０００３】
この電気自動車は自動車自体からは排気ガスを排出しないが、一方で、エネルギー補給として搭載バッテリーに充電する必要がある。
【０００４】
そして、バッテリーへの充電設備としては、各家庭の駐車場などで電源をバッテリーに接続して行うことが考えられる。
【０００５】
前記従来技術は、当業者間で一般的に行われているものであり、文献公知発明にかかるものではない。
【発明の開示】
【発明が解決しようとする課題】
【０００６】
家庭に駐車スペースを有しない場合、充電が困難である。また、バッテリーを長持ちさせるためには、少ない電圧で１〜２日かけて充電することが望ましいが、自動車を通勤などで使用している場合は、充電できる時間帯が帰宅後の夜間に限定されるため、満充電することが出来ないだけでなく、バッテリーの寿命を低下させるおそれもある。
【０００７】
かかる不都合は、予備のバッテリーを用意し、これを昼夜を問わず充電すれば解決できるとも考えられるが、昼間は不在の場合が多く、不在中の充電には不安が残る。
【０００８】
本発明の目的は前記従来例の不都合を解消し、家庭などに充電スペースがない場合でも、また、四六時中いつでも充電が可能で、さらにこの充電は十分管理されたもとで行われ、安心して充電できるバッテリー充電装置を提供することにある。
【課題を解決するための手段】
【０００９】
本発明は前記目的を達成するものとして、請求項１記載の発明は、複数のバッテリー収納部を備えた充電管理装置と、この充電管理装置を制御する充電制御装置とを有することを要旨とするものである。
【００１０】
請求項１記載の本発明によれば、充電管理装置と充電制御手段とを有するバッテリー充電装置を例えば給油所などに設置して、予備のバッテリーを用意してこれを充電管理装置のバッテリー収納部に収納すれば、各家庭で充電せずにすみ、充電制御装置により十分管理された状態で充電され、バッテリーの寿命低下を防げる。
【００１１】
請求項２記載の発明は、バッテリー収納部には施錠・開錠手段が設けられ、このバッテリー収納部に収納されたバッテリーは充電制御装置に設けられている精算手段により充電料金が管理されることを要旨とするものである。
【００１２】
請求項２記載の本発明によれば、例えば給油所などに充電装置を設置しても、バッテリーは施錠されるから、複数人が同時に使用してもセキュリティ上安全である。また、充電料金も精算手段で自動的に算出されるから安心できる。
【００１３】
請求項３記載の発明は、充電制御装置に設けた送受信手段を介してバッテリー情報として充電時間、充電料金などを遠隔地点に伝達でき、遠隔地点から充電方法の選択を行えることを要旨とするものである。
【００１４】
請求項３記載の本発明によれば、預けておいた予備のバッテリーの充電時間や充電料金は、例えば携帯電話やパソコンなどを使用してその場にいなくても知ることができ、また、充電の方法についても例えば急速充電なのか通常充電なのかを携帯電話やパソコンなどを利用して遠隔操作により選択でき、利用者の希望にそうことができ利便性に優れる。
【００１５】
請求項４記載の発明は、充電管理装置は、バッテリー収納部に収納された個々のバッテリーの情報に基づいて充電することを要旨とするものである。
【００１６】
請求項４記載の本発明によれば、バッテリーは、充電管理装置に記憶されている個々のバッテリーのそれぞれの充電時間や充電料金などに基づいて充電するから、個々のバッテリーに適した充電がなされ、寿命を延ばすことができる。
【発明の効果】
【００１７】
以上述べたように本発明のバッテリー充電装置は、例えば給油所などに設置でき、予備のバッテリーを預けて充電することができるから、家庭などに充電スペースがない場合でも、また、四六時中いつでも充電が可能で、さらにこの充電は当該バッテリーに関する情報に基づいて十分管理されたもとで行われ、安心して充電できるものである。
【発明を実施するための最良の形態】
【００１８】
以下、図面について本発明の実施形態を詳細に説明する。図１は本発明のバッテリー充電装置の実施形態を示す説明図で、本発明のバッテリー充電装置は複数のバッテリー収納部３を備える充電管理装置１と、この充電管理装置１を制御する充電制御装置２とで構成される。
【００１９】
充電管理装置１は、例えばバッテリー充電所や従来のガソリン給油所などに設置され、複数台（図示の例では２７台）のバッテリー収納部３を縦横の棚状に形成し、各バッテリー収納部３には収納番号４とランプ５とを設けた。図中６はバッテリー収納部３に収納されているバッテリー、２４はバッテリー６を運搬するための台車を示す。
【００２０】
この充電管理装置１に充電制御装置２が接続される。充電制御装置２は、ハウジングの前面に操作部としてキーボード７、表示器８、充電料金を投入する紙幣挿入口９、釣銭返却口１０、カードリーダー１１などが配設される。
【００２１】
また、この充電制御装置２には無線による送受信手段１２が設けられ、携帯電話１３やパソコン１４との通信が可能である。
【００２２】
図２は充電制御のブロック図を示し、充電制御装置２は充電管理装置１を使用する顧客の有するカードの暗証番号の可否を判断する暗証番号判断手段１５、顧客番号などの顧客情報を記憶してある顧客情報記憶手段１６、充電料金の精算手段１７、携帯電話などと通信するための送受信手段１２、充電の種類として急速充電か通常充電かを切り替える充電選択手段１８とを有する。
【００２３】
また、充電管理装置１はバッテリー収納部３に預けられたバッテリー６に関する顧客名、充電予想時間、充電料金などのバッテリー情報を記憶しているバッテリー情報記憶手段１９、バッテリー収納部３に装着されたバッテリー６の履歴によりその寿命を判断するバッテリー寿命判断手段２０、バッテリー収納部３に装着されたバッテリー６に対して施錠・開錠する施錠・開錠手段２１を有する。
【００２４】
そして、充電制御装置２に、交流・直流変換手段２２を介して交流電源２３が接続され、充電制御装置２の入力側にキーボード７、紙幣挿入口９、表示器８、カードリーダー１１が接続され、充電制御装置２の出力側に釣銭返却口１０が接続される。
【００２５】
また、充電管理装置１の出力側にランプ５が接続される。
【００２６】
次に図３および図４のフローチャートに基づいてバッテリー充電所に設置の本発明装置を使用してバッテリーを充電する方法を説明する。図３はバッテリー６の収納方法で、バッテリー充電を行おうとする客は、バッテリー充電装置が設置されている充電所などにバッテリー６を搬入する。この搬入するバッテリーは現在使用中のものとは別に予備のもの用意しておき、これを充電すれば自動車の運転を中断せずにすむ。
【００２７】
充電所に持ち込んだバッテリー６を台車２４の載せて、充電管理装置１の近くに搬入し、充電管理装置１に設けてあるランプ５を見る。この場合、バッテリー収納部３が使用されてなく、空いていればここに設けてあるランプ５が消灯している（ステップ１）、（ステップ２）。
【００２８】
よって、バッテリー充電を行おうとする客は、消灯しているランプ５の個所のバッテリー収納部３にバッテリー６を装着し、カードリーダー１１に顧客番号が記憶されたカードを挿入し、キーボード７から暗証番号を入力する（ステップ３）。充電制御装置２の暗証番号判断手段１５で正規の顧客であると判断されれば、またカードリーダー１１で読み取られた顧客番号が顧客情報記憶手段１６に記憶されているものと合致すれば、正規の顧客であると判断されて、ランプ５が点灯し、バッテリー収納部３が施錠される（ステップ４）。
【００２９】
これによりバッテリー６の充電が開始するが、充電制御装置２から充電管理装置１への出力によりバッテリー情報記憶手段１９に記憶されているデータに基づいて顧客名、充電予想時間等が表示器８に表示される。
【００３０】
また、バッテリー６の装着により、履歴からバッテリー寿命判断手段２０で寿命が判断され、充電しても使用できないと判断されればランプ５が点滅するとともに、その旨が表示器８に表示されて搬入者に報知する。
【００３１】
バッテリー６の寿命がある場合は、充電が続行し、施錠された安全な状態で充電される。この間、顧客は、充電所に居る必要はなく、充電時間や充電料金などの情報は、携帯電話１３やパソコン１４から送受信手段１２を介して知ることができる。
【００３２】
また、短時間で充電する急速充電か、通常充電かの切り替えも携帯電話１３やパソコン１４から送受信手段１２を介して充電制御装置２に送信でき、これにより充電選択手段１８で利用者の希望の充電方法に切り替えることができる。
【００３３】
次に、充電が完了したバッテリー６を取り出す方法を図４のフローチャートについて説明する。充電予想時間に基づいて利用者は充電所に戻り、バッテリー６が収納されているバッテリー収納部３の収納番号４をキーボード７から入力し（ステップ５）、カードリーダー１１に顧客カードを挿入して暗証番号を入力し（ステップ６）、これらの番号が正規のものと判断されれば（ステップ７）、充電料金が表示器８に表示される（ステップ８）。
【００３４】
顧客はこの表示を見て紙幣挿入口９に所定の料金を挿入し、釣銭があれば釣銭返却口１０から返却される。こうして充電料金を精算したならば（ステップ９）、精算手段１７からの出力によりランプ５が点滅し、同時に施錠・開錠手段２１からの出力でバッテリー収納部３が開錠する（ステップ１０）。
【００３５】
よってバッテリー収納部３からバッテリー６を取り出し、持ち帰る。
【００３６】
バッテリー６が持ち出され空になったバッテリー収納部３は（ステップ１１）、施錠・開錠手段２１からの出力で再度施錠され、ランプ５が消灯し、次の使用に備える。
【図面の簡単な説明】
【００３７】
【図１】本発明のバッテリー充電装置の実施形態を示す説明図である。
【図２】本発明のバッテリー充電装置の実施形態を示す充電制御のブロック図である。
【図３】本発明のバッテリー充電装置のバッテリー収納動作を示すフローチャートである。
【図４】本発明のバッテリー充電装置のバッテリー取り出し動作を示すフローチャートである。
【符号の説明】
【００３８】
１  充電管理装置                ２  充電制御装置
３  バッテリー収納部            ４  収納番号
５  ランプ                      ６  バッテリー
７  キーボード                  ８  表示器
９  紙幣挿入口                  １０  釣銭返却口
１１  カードリーダー            １２  送受信手段
１３  携帯電話                  １４  パソコン
１５  暗証番号判断手段          １６  顧客情報記憶手段
１７  精算手段                  １８  充電選択手段
１９  バッテリー情報記憶手段    ２０  バッテリー寿命判断手段
２１  施錠・開錠手段            ２２  交流・直流変換手段
２３  交流電源                  ２４  台車
【図１】
2007143241.tif 000003
【図２】
2007143241.tif 000004
【図３】
2007143241.tif 000005
【図４】
2007143241.tif 000006